(57)【要約】【課題】部品点数は増加させずに簡易な構成で収納対象物を強固に保持することができる電子機器を提供する。【解決手段】表示モジュール３と、本体面から側方に延出された側面部２ａ〜２ｄを折り曲げて形成され、側面部２ａ〜２ｄで囲まれた空間に表示モジュール３を収納する枠状収納部材２と、枠状収納部材２の隣り合う側面部２ｂ，２ｃおよび２ｂ，２ｄの一方である側面部２ｃ，２ｄから延出された片部を隣り合う他方の側面部２ｂ側に折り曲げて形成され、表示モジュール３を他方の側面部２ｂに対向する側面部２ａへ向けて付勢する付勢部２ｃ−１，２ｄ−１とを備える。【選択図】図１
2015069022.tif 000002
【特許請求の範囲】
【請求項１】
収納対象物と、
本体面から側方に延出された側面部を折り曲げて形成され、前記側面部で囲まれた空間に前記収納対象物を収納する収納部と、
前記収納部の隣り合う側面部の一方から延出された片部を隣り合う他方の側面部側に折り曲げて形成され、前記収納対象物を前記他方の側面部に対向する側面部へ向けて付勢する第１の付勢部とを備える電子機器。
【請求項２】
前記収納部の側面部から延出された片部を外側に折り曲げて形成される取り付け用のブラケットを備えることを特徴とする請求項１記載の電子機器。
【請求項３】
前記収納部の前記第１の付勢部に対向する側面部から突出して設けられ、前記第１の付勢部により付勢された前記収納対象物に当接する第１の突起部を備えることを特徴とする請求項１または請求項２記載の電子機器。
【請求項４】
前記収納部の隣り合う側面部の他方から延出された片部を前記隣り合う一方の側面部側に折り曲げて形成され、前記収納対象物を前記一方の側面部に対向する側面部へ向けて付勢する第２の付勢部を備えることを特徴とする請求項１から請求項３のうちのいずれか１項記載の電子機器。
【請求項５】
前記収納部の前記第２の付勢部に対向する側面部から突出して設けられ、前記第２の付勢部により付勢された前記収納対象物に当接する第２の突起部を備えることを特徴とする請求項４記載の電子機器。
【請求項６】
前記収納部の隣り合う側面部の他方に対向する側面部から延出された片部を当該側面部に隣り合う側面部側に折り曲げて形成され、前記収納対象物を当該隣り合う側面部に対向する側面部へ向けて付勢する第３の付勢部を備えることを特徴とする請求項１から請求項５のうちのいずれか１項記載の電子機器。
【請求項７】
前記収納部の前記第３の付勢部に対向する側面部から突出して設けられ、前記第３の付勢部により付勢された前記収納対象物に当接する第３の突起部を備えることを特徴とする請求項６記載の電子機器。
【発明の詳細な説明】
【技術分野】
【０００１】
この発明は、表示モジュールなどの収納対象物を保持する電子機器に関する。
【背景技術】
【０００２】
例えば、特許文献１には、収納対象物である表示パネルを枠状のベースに保持する表示装置が開示されている。この装置には、ベースの対向する側壁面の一方に板ばねが配置され、もう一方の側壁面に調整ねじが螺合され、ベースに収納された表示パネルが、板ばねによって調整ねじ側に付勢された状態で保持される。
【０００３】
特許文献２には、導光板などを収納してケース内に保持する車両計器用照明装置が開示されている。この装置には、ケースの側面部を切り曲げて内側に突出させた押しばね部が設けられ、ケースに収納された導光板を、押しばね部によって発光素子側に付勢して保持している。また、特許文献２には、別部材の押しばね部をケースに取り付ける構造が開示されている。さらに、押しばね部を導光板と一体に形成した構造もある。
【先行技術文献】
【特許文献】
【０００４】
【特許文献１】特開平１１−１９０９７４号公報
【特許文献２】特開２００４−２９１９４９号公報
【発明の概要】
【発明が解決しようとする課題】
【０００５】
特許文献１に代表される従来の技術においては、表示パネルをベース内に保持するために、ベースとは別の部品の板ばねと調整ねじがさらに必要である。
このように部品点数が増加するため、構造が複雑化するとともに、これらの部品を組み付けるために製造工程数が増加するという課題があった。
なお、特許文献２における別部材の押しばね部を用いる構造についても同様である。
【０００６】
また、特許文献２には、収納対象物である導光板に押しばね部を一体に形成した構造も開示されているが、収納対象物自体を加工する構成は汎用性が乏しく、実用性が低い。
例えば、定格の導光板を使用することができず、押しばね部を有した導光板を作成する特殊な製造工程も必要となる。
【０００７】
一方、特許文献２における押しばね部をケースと一体に形成する構造では、部品点数は増加しない。しかしながら、押しばね部は、板金製のケースの側面部を切り曲げて形成されるため、押しばね部の近傍にケース内部が外部に露出する隙間（穴）が空いてしまう。
このため、ＥＭＣ（Ｅｌｅｃｔｒｏ  Ｍａｇｎｅｔｉｃ  Ｃｏｍｐａｔｉｂｉｌｉｔｙ）やＥＳＤ（Ｅｌｅｃｔｒｏｓｔａｔｉｃ  Ｄｉｓｃｈａｒｇｅ）などの耐性が劣化する可能性がある。また、この隙間（穴）によって押しばね部の近傍の剛性も低下する。
【０００８】
さらに、車載用表示装置に利用される光源装置の厚み（ケースの側壁の高さ）は、一般に１０ｍｍ以下である。このため、板金製で硬くて高さの低いケースの側面部を精度良く変形させることは容易ではないし、僅かな加工誤差が導光板の損傷や導光板と光源との距離の不均一性を招きかねない。
【０００９】
特に、電子機器取り付け用のブラケットがケースの側面にある場合、ブラケットの一部を内側に切り曲げて押しばね部を形成することは困難である。例えば、この押しばね部に実用可能な弾性力を持たせるためには、切り曲げる片の基部から先端までを長くする必要がある。このため、ブラケットを大きく切り曲げなければならず、ブラケットに大きな穴が空き、ブラケットの強度を保つことができない。
【００１０】
この発明は、上記のような課題を解決するためになされたもので、部品点数は増加させずに簡易な構成で収納対象物を強固に保持することができる電子機器を得ることを目的とする。
【課題を解決するための手段】
【００１１】
この発明に係る電子機器は、収納対象物と、本体面から側方に延出された側面部を折り曲げて形成され、側面部で囲まれた空間に収納対象物を収納する収納部と、収納部の隣り合う側面部の一方から延出された片部を隣り合う他方の側面部側に折り曲げて形成され、収納対象物を他方の側面部に対向する側面部へ向けて付勢する第１の付勢部とを備える。
【発明の効果】
【００１２】
この発明によれば、部品点数は増加させずに簡易な構成で収納対象物を強固に保持することができるという効果がある。
【図面の簡単な説明】
【００１３】
【図１】この発明の実施の形態１に係る電子機器を示す図である。
【図２】実施の形態１に係る電子機器の背面図である。
【図３】図２のａ１，ａ２部分の拡大斜視図である。
【図４】実施の形態１における枠状収納部材の付勢部周辺の展開図である。
【図５】図２のｂ１，ｂ２部分の拡大斜視図である。
【図６】図２のＡ−Ａ線の断面矢示図である。
【図７】実施の形態１における付勢部の基部のカシメ構造を示す斜視図である。
【図８】この発明の実施の形態２に係る電子機器を示す図である。
【図９】実施の形態２における枠状収納部材を示す斜視図である。
【図１０】実施の形態２における枠状収納部材の付勢部周辺の展開図である。
【図１１】実施の形態２における付勢部を示す斜視図である。
【図１２】実施の形態２に係る電子機器の背面側斜視図である。
【発明を実施するための形態】
【００１４】
実施の形態１．
図１は、この発明の実施の形態１に係る電子機器を示す図であり、図１（ａ）は正面側斜視図であり、図１（ｂ）は背面側斜視図である。また、図２は、実施の形態１に係る電子機器の背面図である。電子機器１は、例えばナビゲーション装置などの車載機器あるいはディスプレイ付きのオーディオ機器である。電子機器１では、図１（ｂ）に示すように枠状収納部材２が表示モジュール３を収納する。
【００１５】
枠状収納部材２は、本体面から側方に延出された側面部を折り曲げて形成され、側面部で囲まれた空間に収納対象物である表示モジュール３を収納する収納部である。
図１に示す枠状収納部材２は、本体面の四方から延出された側面部を箱状に折り曲げて形成されており、また本体面に設けられた開口部から表示モジュール３の表示面が外部に露出している。
【００１６】
なお、枠状収納部材２が、本体面に表示モジュール３の表示面を外部に露出するための開口部を有する構成を示したが、この発明は、これに限定されるものではない。例えば、収納部は、収納対象物を挿入するために少なくとも一面が開口しており、この開口の側面で囲まれた空間に収納対象物を収納できる構造の部材であればよい。
【００１７】
表示モジュール３は、図２に示すように、枠状収納部材２に収納される収納対象物である。また、表示モジュール３は、例えば、液晶パネル、プラズマパネル、有機ＥＬ（エレクトロルミネセンス）などから構成される。電子機器１が液晶表示装置の場合、表示モジュール３は、液晶表示パネル、液晶表示ドライバ回路およびバックライトなどの液晶表示に必要な構成がモジュール化されたものとなる。
【００１８】
図３は、図２のａ１，ａ２部分の拡大斜視図である。図４は、実施の形態１における枠状収納部材の付勢部周辺の展開図である。図５は、図２のｂ１，ｂ２部分の拡大斜視図であり、図５（ａ）が図２のｂ１部分を示し、図５（ｂ）が図２のｂ２部分を示している。また、図６は、図２のＡ−Ａ線の断面矢示図である。図２に示すように、枠状収納部材２の側面部２ｂには、表示モジュール３を側面部２ａ側に付勢する付勢部２ｃ−１，２ｄ−１が設けられる。
【００１９】
また、枠状収納部材２において、側面部２ｂに対向する側面部２ａには、図３に示すように、側面部２ａを内側に突出するよう絞り加工した突起部２ａ−１が形成されている。
付勢部２ｃ−１，２ｄ−１によって付勢された表示モジュール３の端面部が突起部２ａ−１の頂点部分に当接する。このように側面部２ａに突起部２ａ−１を形成することで、表示モジュール３を介在させて付勢部２ｃ−１，２ｄ−１による付勢力を突起部２ａ−１で確実に受けることができる。これにより、枠状収納部材２に表示モジュール３をガタなく保持することが可能である。
【００２０】
図２に示す例では、側面部２ａの２箇所に突起部２ａ−１を形成した場合を示したが、突起部２ａ−１の配置数は、側面部２ａの１箇所に配置してもよく、３箇所以上に配置してもよい。また、突起部２ａ−１を側面部２ａに絞り加工を施して形成する場合を示したが、これに限定されるものではない。ただし、側面部２ａの一部を切り曲げて内側に突出した形状を形成する加工は、枠状収納部材２の内部が露出するため、好ましくない。
なお、付勢部２ｃ−１，２ｄ−１が表示モジュール３の端面を側面部２ａに圧接可能な付勢力を有する場合には、突起部２ａ−１を省略してもよい。
【００２１】
付勢部２ｃ−１は、図５（ａ）に示すように、枠状収納部材２の隣り合う側面部２ｂ，２ｃの一方である側面部２ｃから延出された片部を隣り合う側面部２ｂ側に折り曲げて形成され、表示モジュール３を側面部２ｂに対向する側面部２ａへ向けて付勢する第１の付勢部である。
同様に、付勢部２ｄ−１は、図５（ｂ）に示すように、枠状収納部材２の隣り合う側面部２ｂ，２ｄの一方である側面部２ｄから延出された片部を隣り合う側面部２ｂ側に折り曲げて形成され、表示モジュール３を側面部２ｂに対向する側面部２ａへ向けて付勢する第１の付勢部である。
【００２２】
側面部２ｃの側面部２ｂとの境界から延出された付勢部２ｃ−１の基部には、カシメ部２ｃ−６が形成されており、図４に示すカシメ用バーリング部２ｃ−４を側面部２ｂのカシメ用穴２ｂ−１に挿入してから、図５（ａ）に示すように側面部２ｂと重なった状態でカシメ固定される。
腕部２ｃ−２は、付勢部２ｃ−１の基部に接続する部分が内側（側面部２ａ側）に階段状に折り曲げられ、その先端部にさらに内側に突出するように折り曲げられた当接部２ｃ−３を有する。すなわち、付勢部２ｃ−１は、腕部２ｃ−２の上記階段状に折り曲げられた部分で撓む板ばねであって、図６に示すように、表示モジュール３の端面に当接部２ｃ−３が当接して側面部２ａ側に付勢することにより、表示モジュール３を強固に枠状収納部材２内に保持することができる。
【００２３】
同様に、側面部２ｄの側面部２ｂとの境界から延出された付勢部２ｄ−１の基部には、カシメ部２ｄ−６が形成されており、図４に示すカシメ用バーリング部２ｄ−４を側面部２ｂのカシメ用穴２ｂ−２に挿入してから、図５（ｂ）に示すように側面部２ｂと重なった状態でカシメ固定される。
腕部２ｄ−２は、付勢部２ｄ−１の基部に接続する部分が内側（側面部２ａ側）に階段状に折り曲げられ、その先端部にさらに内側に突出するように折り曲げられた当接部２ｄ−３を有する。すなわち、付勢部２ｄ−１は、腕部２ｄ−２の上記階段状に折り曲げられた部分で撓む板ばねであって、表示モジュール３の端面に当接部２ｄ−３が当接して側面部２ａ側に付勢することにより、表示モジュール３を強固に枠状収納部材２内に保持することができる。
【００２４】
このように付勢部２ｃ−１，２ｄ−１は枠状収納部材２に一体に形成されているので、構造を簡略化することができる。また、表示モジュール３を付勢するための別部品が不要であり、部品点数が増加しない。例えば、板金部材の折り曲げ加工で枠状収納部材２を形成する際に付勢部２ｃ−１，２ｄ−１の折り曲げも同時に行えるため、別部品を組み付ける製造工程数を省略することが可能である。
【００２５】
また、付勢部２ｃ−１，２ｄ−１は側面部２ｃ，２ｄから延出された片部を折り曲げて形成されるので、側面部２ｂを切り曲げる必要がない。すなわち、これらの側面部２ｂに片部を切り曲げた分の穴が開くことがなく、ＥＭＣやＥＳＤの耐性の向上を図ることができる。
さらに、図２に示すように、側面部２ａ，２ｂに電子機器取り付け用のブラケット４をそれぞれ設けても、ブラケット４の一部を切り曲げずに十分な付勢力を有した付勢部２ｃ−１，２ｄ−１を得ることができる。すなわち、ブラケット４の一部を切り曲げることがなくなるので、大きな穴が開くことはなく、ブラケット４の強度を保つことができる。
なお、ブラケット４は、側面部２ａ，２ｂだけでなく、側面部２ｃ，２ｄにも設けてもよく、側面部２ａ，２ｂの代わりに、側面部２ｃ，２ｄに設けてもよい。
【００２６】
なお、付勢部２ｃ−１，２ｄ−１は、図４に示した形状に限定されるものではない。
すなわち、側面部２ｂ側に折り曲げて表示モジュール３を側面部２ａ側に付勢する構造であれば、他の形状の付勢部であってもよい。
また、付勢部２ｃ−１，２ｄ−１として付勢部を２つ設けた構造を示したが、付勢部は１つであってもよく、３つ以上であってもよい。例えば、側面部の端部から複数の片部を延出して複数の付勢部を形成してもよいが、側面部の端部から１つだけ延出した片部の先端部を複数に分岐させて付勢部を構成してもよい。
【００２７】
図７は、実施の形態１における付勢部の基部のカシメ構造を示す斜視図であり、図７（ａ）は、付勢部２ｄ−１の基部と側面部２ｂとのカシメ部位を示し、図７（ｂ）は、付勢部２ｃ−１の基部と側面部２ｂとのカシメ部位を示している。図７（ａ）および図７（ｂ）に示すように、付勢部２ｃ−１，２ｄ−１と側面部２ｂとをカシメで固定することで、付勢部２ｃ−１，２ｄ−１の基部の剛性を上げることができる。
【００２８】
なお、付勢部２ｃ−１，２ｄ−１と側面部２ｂとを折り曲げにより重ね合わせるだけで筐体としての剛性および表示モジュール３を保持する付勢力が得られる場合には、カシメ固定を省略してもよい。また、カシメにより固定する場合を示したが、スポット溶接などで固定してもかまわない。
【００２９】
また、図７（ａ）に示すように、枠状収納部材２の表面側（本体面側）の位置にカシメ部２ｄ−６を設けることにより、枠状収納部材２の剛性を高めることができる。
しかしながら、曲げ加工の設備もしくは工具がカシメ部２ｄ−６周辺部に干渉する場合は本体面との間の隙間Ｂ１を追加する必要がある。この場合、ＥＭＣやＥＳＤなどの耐性が劣化する可能性がある。
【００３０】
そこで、図７（ｂ）に示すように、枠状収納部材２の表面側（本体面側）から離れた位置にカシメ部２ｃ−６を設け、図５（ａ）に示すように、付勢部２ｃ−１の基部を小さくして曲げ加工の設備もしくは工具がカシメ部２ｃ−６周辺部に干渉しないようにすることで、本体面との間の隙間を隙間Ｂ１よりも小さい隙間Ｂ２とすることができる。
このようにすることで、ＥＭＣやＥＳＤなどの耐性の向上を図ることができる。
【００３１】
以上のように、この実施の形態１によれば、表示モジュール３と、本体面から側方に延出された側面部２ａ〜２ｄを折り曲げて形成され、側面部２ａ〜２ｄで囲まれた空間に表示モジュール３を収納する枠状収納部材２と、枠状収納部材２の隣り合う側面部２ｂ，２ｃおよび２ｂ，２ｄの一方である側面部２ｃ，２ｄから延出された片部を隣り合う他方の側面部２ｂ側に折り曲げて形成され、表示モジュール３を他方の側面部２ｂに対向する側面部２ａへ向けて付勢する付勢部２ｃ−１，２ｄ−１とを備える。
このように構成することで、付勢部２ｃ−１，２ｄ−１が側面部２ｃ，２ｄから延出された片部を折り曲げて形成されるため、側面部２ｂを切り曲げる必要がない。
これにより、側面部２ｂに片部を切り曲げた分の穴が開くことがなく、ＥＭＣやＥＳＤの耐性の向上を図ることができる。
また、付勢部２ｃ−１，２ｄ−１が枠状収納部材２に一体に形成されているので、枠状収納部材２を簡易な構成とすることができる。
さらに、表示モジュール３を付勢するための別部品が不要であり、部品点数が増加しないため、別部品を組み付ける製造工程数を省略することが可能である。
さらに、付勢部２ｃ−１，２ｄ−１が表示モジュール３を側面部２ａ側に付勢することから、枠状収納部材２内に表示モジュール３を強固に保持することができる。
【００３２】
また、この実施の形態１によれば、枠状収納部材２の側面部２ａ，２ｂから延出された片部を外側に折り曲げて形成される取り付け用のブラケット４を備える。
このように構成することで、付勢部を形成するためにブラケット４の一部に穴が開くことはなく、ブラケット４の強度を保つことができる。
さらに、この実施の形態１によれば、枠状収納部材２の付勢部２ｃ−１，２ｄ−１に対向する側面部２ａから突出して設けられ、付勢部２ｃ−１，２ｄ−１により付勢された表示モジュール３に当接する突起部２ａ−１を備える。
このように構成することで、表示モジュール３を介在させて付勢部２ｃ−１，２ｄ−１による付勢力を突起部２ａ−１で確実に受けることができる。これにより、枠状収納部材２に表示モジュール３をガタなく保持することが可能である。
【００３３】
実施の形態２．
図８は、この発明の実施の形態２に係る電子機器を示す図であり、図８（ａ）は正面側斜視図であり、図８（ｂ）は背面側斜視図である。電子機器１Ａは、実施の形態１と同様に、例えば、ナビゲーション装置などの車載機器あるいはディスプレイ付きのオーディオ機器である。電子機器１Ａにおいても、図８（ｂ）に示すように枠状収納部材２Ａが表示モジュール３を収納する。
【００３４】
枠状収納部材２Ａは、本体面から側方に延出された側面部を折り曲げて形成され、側面部で囲まれた空間に収納対象物である表示モジュール３を収納する収納部である。
図８に示す枠状収納部材２Ａは、図１と同様に、本体面の四方から延出された側面部を箱状に折り曲げて形成されており、また本体面に設けられた開口部から表示モジュール３の表示面が外部に露出している。
【００３５】
なお、枠状収納部材２Ａが、本体面に表示モジュール３の表示面を外部に露出するための開口部を有する構成を示したが、この発明は、これに限定されるものではない。
例えば、収納部は、収納対象物を挿入するために少なくとも一面が開口しており、この開口の側面で囲まれた空間に収納対象物を収納できる構造の部材であればよい。
【００３６】
図９は、実施の形態２における枠状収納部材を示す斜視図であり、図９（ａ）が側面部２ｄ側から見た斜視図、図９（ｂ）が側面部２ｃ側から見た斜視図である。図９（ａ）に示すように、枠状収納部材２Ａの側面部２ｂには、表示モジュール３を側面部２ａ側に付勢する付勢部２ｃ−１，２ｄ−１が設けられ、側面部２ｃには、表示モジュール３を側面部２ｄ側に付勢する付勢部２ａ−２，２ｂ−３が設けられる。
【００３７】
また、図９（ｂ）に示すように、側面部２ｂに対向する側面部２ａには、側面部２ａを内側に突出するよう絞り加工した突起部２ａ−１が形成されており、側面部２ｃに対向する側面部２ｄには、側面部２ｄを内側に突出するよう絞り加工した突起部２ｄ−５が形成されている。付勢部２ｃ−１，２ｄ−１によって付勢された表示モジュール３の端面部が突起部２ａ−１の頂点部分に当接し、付勢部２ａ−２，２ｂ−３によって付勢された表示モジュール３の端面部が突起部２ｄ−５の頂点部分に当接する。
【００３８】
このように側面部２ａ，２ｄに突起部２ａ−１，２ｄ−５を形成することで、表示モジュール３を介在させて付勢部２ｃ−１，２ｄ−１，２ａ−２，２ｂ−３による付勢力を突起部２ａ−１，２ｄ−５で確実に受けることができる。これにより、枠状収納部材２Ａに表示モジュール３をガタなく保持することが可能である。
【００３９】
図９に示す例では、側面部２ａの２箇所に突起部２ａ−１を形成し、側面部２ｄの２箇所に突起部２ｄ−５を形成した場合を示したが、突起部２ａ−１，２ｄ−５の配置数は、側面部２ａ，２ｄに１箇所ずつ配置してもよく、３箇所以上に配置してもよい。
また、突起部２ａ−１，２ｄ−５を側面部２ａ，２ｄに絞り加工を施して形成する場合を示したが、これに限定されるものではない。ただし、側面部２ａ，２ｄの一部を切り曲げて内側に突出した形状を形成する加工は、枠状収納部材２Ａの内部が露出するため、好ましくない。なお、付勢部２ｃ−１，２ｄ−１，２ａ−２，２ｂ−３が表示モジュール３の端面を側面部２ａ，２ｄに圧接可能な付勢力を有する場合には、突起部２ａ−１，２ｄ−５を省略してもよい。
【００４０】
図１０は、実施の形態２における枠状収納部材の付勢部周辺の展開図であって、図１０（ａ）は、付勢部２ｂ−３，２ｃ−１とその周辺部の展開図を示しており、図１０（ｂ）は、付勢部２ａ−２とその周辺部の展開図を示している。また、図１１は、実施の形態２における付勢部を示す斜視図であり、図１１（ａ）は付勢部２ｂ−３，２ｃ−１を示し、図１１（ｂ）は付勢部２ａ−２を示している。図１２は、実施の形態２に係る電子機器の背面側斜視図である。
【００４１】
付勢部２ｂ−３は、図１０（ａ）に示すように、枠状収納部材２Ａの隣り合う側面部２ｂ，２ｃの他方である側面部２ｂに一体に形成され、図１１（ａ）に示すように、側面部２ｃ側に折り曲げられて表示モジュール３を側面部２ｃに対向する側面部２ｄへ向けて付勢する第２の付勢部である。
同様に、付勢部２ａ−２は、図１０（ｂ）に示すように、枠状収納部材２Ａの側面部２ｂに対向する側面部２ａに一体に形成され、図１１（ｂ）に示すように、側面部２ａに隣り合う側面部２ｃ側に折り曲げられて表示モジュール３を、側面部２ｃに対向する側面部２ｄへ向けて付勢する第３の付勢部である。
【００４２】
側面部２ｂから延出された付勢部２ｂ−３の腕部２ｂ−４は、図１１（ａ）に示すように、基部側が天面側に折り曲げられ、先端側が側面部２ｃに沿うように折り曲げられている。また、腕部２ｂ−４の先端部には、内側（側面部２ｄ側）に突出するように折り曲げられた当接部２ｂ−５が形成されている。
すなわち、付勢部２ｂ−３は、腕部２ｂ−４の先端側が撓む板ばねであって、図１２に示すように、表示モジュール３の端面に当接部２ｂ−５が当接して側面部２ｄ側に付勢することにより、表示モジュール３を強固に枠状収納部材２Ａ内に保持することができる。
なお、腕部２ｂ−４の天面側には、剛性を向上させるために、ビード２ｂ−６を設けているが、平板で十分に強度を保てる場合には省略してもかまわない。
【００４３】
同様に、側面部２ａの側面部２ｃとの境界から延出された付勢部２ａ−２の基部には、カシメ部２ａ−６が形成されており、図１０（ｂ）に示すカシメ用バーリング部２ａ−５を側面部２ｃのカシメ用穴２ｃ−５に挿入してから、図１１（ｂ）に示すように、側面部２ｃと重なった状態でカシメ固定される。腕部２ａ−３は、付勢部２ａ−２の基部に接続する部分が内側（側面部２ｄ側）に階段状に折り曲げられ、その先端部にさらに内側に突出するように折り曲げられた当接部２ａ−４を有する。すなわち、付勢部２ａ−２は、腕部２ａ−３の上記階段状に折り曲げられた部分で撓む板ばねであって、表示モジュール３の端面に当接部２ａ−４が当接して側面部２ｄ側に付勢することで、表示モジュール３を強固に枠状収納部材２Ａ内に保持することができる。
【００４４】
このように、付勢部２ｃ−１，２ｄ−１に加えて、付勢部２ａ−２，２ｂ−３を設け、これらの付勢部は枠状収納部材２Ａに一体に形成されているので、構造を簡略化することができる。また、表示モジュール３を付勢するための別部品が不要であり、部品点数が増加しない。例えば、板金部材の折り曲げ加工で枠状収納部材２Ａを形成する際に付勢部２ｃ−１，２ｄ−１，２ａ−２，２ｂ−３の折り曲げも同時に行えるため、別部品を組み付ける製造工程数を省略することが可能である。
【００４５】
また、付勢部２ａ−２，２ｂ−３，２ｃ−１，２ｄ−１は側面部２ａ〜２ｄから延出された片部を折り曲げて形成されるので、側面部２ａ〜２ｄを切り曲げる必要がない。
これにより、図８（ｂ）に示すように、側面部２ａ，２ｂに電子機器取り付け用のブラケット４をそれぞれ設けても、ブラケット４の一部を切り曲げずに十分な付勢力を有した付勢部２ａ−２，２ｂ−３，２ｃ−１，２ｄ−１を得ることができる。
【００４６】
なお、付勢部２ａ−２，２ｂ−３は、図１１に示した形状に限定されるものではない。
すなわち、側面部２ｃ側に折り曲げて表示モジュール３を側面部２ｄ側に付勢する構造であれば、他の形状の付勢部であってもよい。
また、付勢部２ａ−２，２ｂ−３として付勢部を２つ設けた構造を示したが、付勢部は１つであってもよく、３つ以上であってもよい。例えば、側面部の端部から複数の片部を延出して複数の付勢部を形成してもよいが、側面部の端部から１つだけ延出した片部の先端部を複数に分岐させて付勢部を構成してもよい。
さらに、付勢部２ａ−２，２ｂ−３の双方を設けた構成を示したが、枠状収納部材２Ａに表示モジュール３をガタなく保持することが可能であれば、付勢部２ａ−２，２ｂ−３のいずれか一方を省略してもよい。
【００４７】
以上のように、この実施の形態２によれば、枠状収納部材２Ａの隣り合う側面部２ｂから延出された片部を隣り合う一方の側面部２ｃ側に折り曲げて形成され、表示モジュール３を側面部２ｃに対向する側面部２ｄへ向けて付勢する付勢部２ｂ−３を備える。
このように構成することで、付勢部２ｂ−３が側面部２ｂから延出された片部を折り曲げて形成されるため、側面部２ｃを切り曲げる必要がない。
これにより、側面部２ｃに片部を切り曲げた分の穴が開くことがなく、ＥＭＣやＥＳＤの耐性の向上を図ることができる。
また、付勢部２ｂ−３，２ｃ−１，２ｄ−１が枠状収納部材２Ａに一体に形成されているので、枠状収納部材２Ａを簡易な構成とすることができる。また、表示モジュール３を付勢するための別部品が不要であり、部品点数が増加しないため、別部品を組み付ける製造工程数を省略することが可能である。
さらに、付勢部２ｂ−３，２ｃ−１，２ｄ−１が表示モジュール３を側面部２ａ，２ｄ側に付勢することから、実施の形態１と比べてさらに強固に枠状収納部材２Ａ内に表示モジュール３を保持することができる。
【００４８】
また、この実施の形態２によれば、枠状収納部材２Ａの付勢部２ｂ−３に対向する側面部２ｄから突出して設けられ、付勢部２ｂ−３により付勢された表示モジュール３に当接する突起部２ｄ−５を備える。
このように構成することで、表示モジュール３を介在させて付勢部２ｂ−３による付勢力を突起部２ｄ−５で確実に受けることができる。これにより、枠状収納部材２Ａに表示モジュール３をガタなく保持することが可能である。
【００４９】
さらに、この実施の形態２によれば、枠状収納部材２Ａの側面部２ｂに対向する側面部２ａから延出された片部を側面部２ａに隣り合う側面部２ｃ側に折り曲げて形成され、表示モジュール３を側面部２ｃに対向する側面部２ｄへ向けて付勢する付勢部２ａ−２を備える。このように構成することで、付勢部２ａ−２が側面部２ａから延出された片部を折り曲げて形成されるため、側面部２ｃを切り曲げる必要がない。
これにより、側面部２ｃに片部を切り曲げた分の穴が開くことがなく、ＥＭＣやＥＳＤの耐性の向上を図ることができる。
また、付勢部２ａ−２，２ｃ−１，２ｄ−１が枠状収納部材２Ａに一体に形成されているので、枠状収納部材２Ａを簡易な構成とすることができる。
また、表示モジュール３を付勢するための別部品が不要であり、部品点数が増加しないため、別部品を組み付ける製造工程数を省略することが可能である。
さらに、付勢部２ａ−２，２ｃ−１，２ｄ−１が表示モジュール３を側面部２ａ，２ｄ側に付勢することから、実施の形態１と比べてさらに強固に枠状収納部材２Ａ内に表示モジュール３を保持することができる。
【００５０】
さらに、この実施の形態２によれば、枠状収納部材２Ａの付勢部２ａ−２に対向する側面部２ｄから突出して設けられ、付勢部２ａ−２により付勢された表示モジュール３に当接する突起部２ｄ−５を備える。このように構成することで、表示モジュール３を介在させて付勢部２ａ−２による付勢力を突起部２ｄ−５で確実に受けることができる。これにより、枠状収納部材２Ａに表示モジュール３をガタなく保持することが可能である。
【００５１】
なお、本発明はその発明の範囲内において、各実施の形態の自由な組み合わせ、あるいは各実施の形態の任意の構成要素の変形、もしくは各実施の形態において任意の構成要素の省略が可能である。
【符号の説明】
【００５２】
１，１Ａ  電子機器、２，２Ａ  枠状収納部材、２ａ〜２ｄ  側面部、２ａ−１，２ｄ−５  突起部、２ａ−２，２ｂ−３，２ｃ−１，２ｄ−１  付勢部、２ａ−３，２ｂ−４，２ｃ−２，２ｄ−２  腕部、２ａ−４，２ｂ−５，２ｃ−３，２ｄ−３  当接部、２ａ−５，２ｃ−４，２ｄ−４  カシメ用バーリング部、２ｂ−１，２ｂ−２，２ｃ−５  カシメ用穴、２ａ−６，２ｃ−６，２ｄ−６  カシメ部、２ｂ−６  ビード、３  表示モジュール、４  ブラケット。
【図１】
2015069022.tif 000003
【図２】
2015069022.tif 000004
【図３】
2015069022.tif 000005
【図４】
2015069022.tif 000006
【図５】
2015069022.tif 000007
【図６】
2015069022.tif 000008
【図７】
2015069022.tif 000009
【図８】
2015069022.tif 000010
【図９】
2015069022.tif 000011
【図１０】
2015069022.tif 000012
【図１１】
2015069022.tif 000013
【図１２】
2015069022.tif 000014